(57)【要約】  スプレイアプリケータ本体と、スプレイアプリケータ本体に結合されたスプレイアプリケータ部品と、スプレイアプリケータ組立体に結合されたスプレイアプリケータツールと、を備えるスプレイアプリケータ組立体を備えるシステム。スプレイアプリケータツールは、作動状態においてスプレイアプリケータ組立体の１つまたはそれ以上のパラメータを調節するように構成され、非作動状態において、スプレイアプリケータツールは、スプレイアプリケータ部品に結合して、スプレイアプリケータ部品の取外しを容易にするように構成される。
2017520398.tif 000002
【特許請求の範囲】
【請求項１】
スプレイアプリケータ組立体を備えるシステムであって、
前記スプレイアプリケータ組立体が、
スプレイアプリケータ本体と、
前記スプレイアプリケータ本体に結合されたスプレイアプリケータ部品と、
前記スプレイアプリケータ組立体に結合されたスプレイアプリケータツールと、
を備え、
前記スプレイアプリケータツールが、作動状態において前記スプレイアプリケータ組立体の１つまたはそれ以上のパラメータを調節するように構成され、かつ前記スプレイアプリケータツールが、非作動状態において、前記スプレイアプリケータ部品に結合して前記スプレイアプリケータ部品の取外しを容易にするように構成される、
ことを特徴とするシステム。
【請求項２】
前記スプレイアプリケータツールが、前記スプレイアプリケータ組立体及び前記スプレイアプリケータ部品と噛み合うように構成された少なくとも１つの結合特徴部を備える、ことを特徴とする請求項１に記載のシステム。
【請求項３】
前記少なくとも１つの結合特徴部が、前記スプレイアプリケータ組立体及び前記スプレイアプリケータ部品の両方と選択的に噛み合うように構成された共通結合特徴部を備える、ことを特徴とする請求項２に記載のシステム。
【請求項４】
前記少なくとも１つの結合特徴部がネジ山である、ことを特徴とする請求項２に記載のシステム。
【請求項５】
前記ネジ山が、雄ネジ山、雌ネジ山又はその組合せを含む、ことを特徴とする請求項４に記載のシステム。
【請求項６】
前記少なくとも１つの結合特徴部が、凹部、溝又はその組合せである、ことを特徴とする請求項２に記載のシステム。
【請求項７】
前記少なくとも１つの結合特徴部が、ばね式部材、スナップ嵌め結合体又はその組合せである、ことを特徴とする請求項２に記載のシステム。
【請求項８】
前記少なくとも１つの結合特徴部が磁気結合体である、ことを特徴とする請求項２に記載のシステム。
【請求項９】
前記スプレイアプリケータツールがグリップ特徴部である、ことを特徴とする請求項１に記載のシステム。
【請求項１０】
前記グリップ特徴部が、前記スプレイアプリケータツールの外面に沿って１つまたはそれ以上の凹部、１つまたはそれ以上の突出部又はその任意の組合せである、ことを特徴とする請求項９に記載のシステム。
【請求項１１】
前記スプレイアプリケータツールが、前記スプレイアプリケータ組立体における弁組立体の前記１つ又はそれ以上のパラメータを調節するように構成される、ことを特徴とする請求項１に記載のシステム。
【請求項１２】
前記スプレイアプリケータ部品が、前記スプレイアプリケータ組立体において弁組立体に結合されるスプレイアプリケータピストンである、ことを特徴とする請求項１に記載のシステム。
【請求項１３】
結合特徴部を備えるスプレイアプリケータツール、
を備えるステムであって、
前記スプレイアプリケータツールが、吹付け作動時にスプレイアプリケータに結合してスプレイアプリケータパラメータを調節するように構成され、かつ前記スプレイアプリケータツールが、吹付け作動後に前記結合特徴部によってスプレイアプリケータピストンに結合して、前記スプレイアプリケータからの前記スプレイアプリケータピストンの取外しを容易にするように構成される、
ことを特徴とするシステム。
【請求項１４】
前記スプレイアプリケータ及び前記スプレイアプリケータピストンを備える、ことを特徴とする請求項１３に記載のシステム。
【請求項１５】
前記結合特徴部が、前記スプレイアプリケータピストン表面の第２ネジ山に結合する第１ネジ山である、ことを特徴とする請求項１４に記載のシステム。
【請求項１６】
前記第１ネジ山がピストンハウジングキャップ表面の第３ネジ山に結合する、ことを特徴とする請求項１５に記載のシステム。
【請求項１７】
前記結合特徴部が、雄型結合体、雌型結合体、突出部、凹部、スナップ嵌め結合体、磁気結合体、又はその任意の組合せである、ことを特徴とする請求項１４に記載のシステム。
【請求項１８】
スプレイアプリケータツールを用いてスプレイアプリケータ組立体に関する作動パラメータを調節することと、
前記スプレイアプリケータツールを前記スプレイアプリケータ組立体から離脱することと、
前記スプレイアプリケータツールを前記スプレイガン組立体のスプレイアプリケータピストンに結合することと、
前記スプレイアプリケータツールを用いて前記スプレイアプリケータピストンを前記スプレイアプリケータ組立体から取り外すことと、
を含むことを特徴とする方法。
【請求項１９】
前記スプレイアプリケータツールを前記スプレイアプリケータピストンに結合することが、前記スプレイアプリケータツールを前記スプレイアプリケータピストンとネジ式に結合することである、ことを特徴とする請求項１８に記載の方法。
【請求項２０】
前記スプレイアプリケータツールを前記スプレイアプリケータピストンに結合することが、凹部を突出部と係合させるである、ことを特徴とする請求項１８に記載の方法。
【発明の詳細な説明】
【技術分野】
【０００１】
（関連出願の相互参照）
本出願は、２０１４年７月９日に提出された米国仮特許出願第６２／０２２４９６号「スプレイアプリケータツール」（参照によりその全体があらゆる目的のために本明細書に援用される）に対する優先権を主張する非仮出願である。
【０００２】
本発明は、概略的にスプレイ装置、特にスプレイアプリケータツールに関する。
【０００３】
スプレイガンなどのスプレイ塗装装置は、多様な対象物体にスプレイ塗装（例えば、ペイント）を施すために使用される。スプレイ塗装装置は、しばしば、ばね、シールなどの多くの再使用可能かつ／又は摩耗性タ部品を含む。残念ながら、これらの再使用可能なタ部品にアクセスして交換するためには、スプレイ塗装装置の部分の取外しのために多くの時間が費やされる。更に、スプレイ塗装装置の特定の部品の取外しのためには、スプレイ塗装装置の部品を損傷する可能性のある外部工具を使用する場合がある。
【０００４】
本発明のこれらの及びその他の特徴、形態及び利点は、添付図面を参照しながら以下の詳細な説明を読むことによってよりよく理解できる。図面において、同様の符号は、図面全体を通じて同様の部品を表す。
【図面の簡単な説明】
【０００５】
【図１】スプレイアプリケータピストンを取り外すことができるスプレイアプリケータツールを持つスプレイアプリケータ組立体の実施形態の斜視図である。
【図２】スプレイアプリケータピストンを取り外すことができるスプレイアプリケータツールを持つスプレイアプリケータ組立体の実施形態の切取り斜視図である。
【図３】スプレイアプリケータピストンを取り外すことができるスプレイアプリケータツールを持つスプレイアプリケータ組立体の実施形態の部分的に分解した切取り斜視図である。
【図４】スプレイアプリケータツールがスプレイアプリケータピストンに結合している、スプレイアプリケータ組立体の実施形態の切取り斜視図である。
【図５】スプレイアプリケータピストンの外面に結合するスプレイアプリケータツールの実施形態の断面図である。
【図６】突出部を持つスプレイアプリケータピストンに結合するスプレイアプリケータツールの実施形態の切取り図である。
【図７】スプレイアプリケータピストンに結合する磁石を持つスプレイアプリケータツールの実施形態の断面図である。
【図８】グリップ凹部を持つスプレイアプリケータツールの実施形態の側面図である。
【発明を実施するための形態】
【０００６】
本発明の１つ又はそれ以上の具体的な実施形態について、下で説明する。これらの実施形態を簡潔に説明するために、現実の実施の全ての特徴を明細書において説明しない可能性がある。これらの現実の実施の展開においては、どのような工学設計又は設計プロジェクトにおいてもそうであるように、システム関連及びビジネス関連の制約の順守などの開発者固有の目標（実施によって変化する可能性がある）を達成するために多数の実施固有の決定を下さなければならないことが分かるはずである。更に、このような開発の努力は、複雑でかつ時間が掛かるかもしれないが、本開示を利用する当業者にとってルーチンの設計、製作及び製造の仕事となる。
【０００７】
本発明の様々な実施形態の要素を紹介する際、単数冠詞及び限定的冠詞（“ａ”、“ａｎ”、“ｔｈｅ”及び“ｓａｉｄ”）は、要素の１つまたはそれ以上があることを意味するためのものである。「含む（“ｃｏｍｐｒｉｓｉｎｇ”）」及び「有する（“ｈａｖｉｎｇ”」は、包括的であることを意図しており、明記される要素以外の付加的要素がある可能性を意味する。
【０００８】
本開示は、概略的に、複数の目的を持つスプレイアプリケータツールを持つスプレイアプリケータ組立体に関する。例えば、吹付け作動時に、スプレイアプリケータツールは、スプレイアプリケータ組立体の吹付けパラメータの調節を可能できる。吹付け後、スプレイアプリケータツールは、スプレイアプリケータ組立体の分解を容易にできる。より具体的には、スプレイアプリケータツールは、スプレイアプリケータツールをスプレイアプリケータ本体内のスプレイアプリケータピストンに結合できるようにする結合特徴部を含むことができる。結合すると、スプレイアプリケータツールは、使用者が、保守（例えば、清掃、ガスケットの交換など）のためにスプレイアプリケータ組立体からスプレイアプリケータピストンを引き出せるようにする。いくつかの実施形態において、結合特徴部は、スプレイアプリケータピストン表面のネジ山に係合するネジ山を含むことができる。別の実施形態において、結合特徴部は、スプレイアプリケータピストン表面の溝に係合する突出部を含むことができる。さらに別の実施形態において、スプレイアプリケータツールは、スプレイアプリケータツールがスプレイアプリケータピストンに磁気的に結合できるようにする磁石を含むことができる。更に、スプレイアプリケータツールは、これらの様々な結合特徴部の任意の組合せを含むことができる。また、いくつかの実施形態において、スプレイアプリケータツールは、スプレイアプリケータピストンを取り外す際使用者がスプレイアプリケータツールをよりよく握れるようにするグリップ特徴部を含むことができる。
【０００９】
図１は、スプレイアプリケータツール１２（例えば、スプレイガンツール）を持つスプレイアプリケータ組立体１０（例えば、スプレイガン組立体）の実施形態の斜視図である。上述のように、スプレイアプリケータツール１２は、保守（例えば、ガスケット交換、清掃など）の際にスプレイガンアプリケータピストン１４をスプレイアプリケータ１６（例えば、スプレイガン）から取り外すこと及び吹付けパラメータを調節することを含めて複数の目的を持つことができる。図示するように、スプレイアプリケータ組立体１０は、第１端部２２においてスプレイアプリケータ本体２０に結合されたスプレイ先端組立体１８と、第２端部２６においてスプレイアプリケータ本体２０に結合されたピストンハウジングキャップ２４とを含む。スプレイ先端組立体１８及びピストンハウジングキャップ２４の両方は、スプレイアプリケータ本体２０にネジ式に結合するか又はその他の様式で取付けできる。作動時に、スプレイアプリケータ組立体１０は、付属品２８を介して流体の流れを受け入れる。これらの付属品２８は、液体用付属品３０、噴霧空気用付属品３２及びピストンエア用付属品３４を含むことができる。付属品３０、３２及び３４は、スプレイアプリケータ本体２０のそれぞれの入口３６、３８及び４０及びそれぞれの液体源４２、圧縮空気源４４及び圧縮源４６に結合する。係合されると、スプレイアプリケータ組立体１０は、所望の吹付けパターン及び飛沫分布で、溶剤、ペイント、シーラー、ステインなどの噴霧スプレイを生じる。
【００１０】
図２は、付加的ツールを使用せずに整備のためにスプレイアプリケータピストン１４をスプレイアプリケータ本体２０から取り外すことができるスプレイアプリケータツール１２を持つスプレイアップリケータ組立体１０の実施形態を切取り斜視図である。スプレイアプリケータツール１２は、キャップ孔６４の中のネジ山６２に係合するツールネジ山６０によってピストンハウジングキャップ２４に結合する。図示するように、スプレイアプリケータツール１２は、弁ばね６８及び弁７０の一部分を受け入れる空洞６６も含むことができる。作動時に、スプレイアプリケータツール１２は、スプレイアプリケータ組立体１０上にそのまま留まって、ピストンハウジングキャップ２４の中へ及びその外へネジ式に出入りして、弁ばね６８の圧縮を増減して、吹付けのためにニードル弁７０を弁座から離脱するのに必要な力を増減する。
【００１１】
図示するように、ピストンハウジングキャップ２４は、スプレイアプリケータピストンツール１４を収容するスプレイアプリケータ本体２０に結合する（例えば、ネジ式に）。スプレイアプリケータピストン１４は、ピストン本体７２（例えば、円筒形又は環状）と、環状リップ７４と、ピストンカウンタボア７６（円筒形又は環状）と、弁用開口部７８（例えば、円筒形又は環状）とを含む。スプレイアプリケータピストン１４は、ピストン本体７２をスプレイアプリケータ本体２０の空洞８０（例えば、環状空洞）の中へ挿入することによって、スプレイアプリケータ組立体１０に結合する。ピストン本体７２は、スプレイアプリケータ本体２０の端面８２がスプレイアプリケータ本体２０の第１カウンタボア８４に当接するまで空洞８０を通過して進む。第１カウンタボア８４とスプレイアプリケータピストン１４は、一緒に、噴霧空気用付属品３２（図１）を通過してスプレイアプリケータ本体２０へ進入する空気を収容する空気流室８６（例えば、円筒形又は環状）を形成する。噴霧空気流を制御するために、スプレイアプリケータピストン１４は、端面８２及び１つまたはそれ以上のガスケット（例えば、円筒形又は環状）と一緒に空気流室８６の周りにシールを形成する。例えば、スプレイアプリケータピストン１４は、ピストン本体外面９２に沿った円筒形又は環状溝９０（例えば、１つ、２つ、３つ、４つ、５つまたはそれ以上）内部に収まる１つまたはそれ以上のガスケット（１、２、３、４、５又はそれ以上）を含むことができる。着座した位置において、端面８２及び第１カウンタボア８４は、ガスケット８８と一緒に、空気流室８６をシールする。いくつかの実施形態において、端面８２及び／又は第１カウンタボア８４は、当接及びシールを容易にするように傾斜できる。
【００１２】
吹付け作動時に空気流室８６を開放するために、スプレイアプリケータピストン１４は、スプレイアプリケータ本体２０との間にピストンエア室９８を形成する。図示するように、環状リップ７４が、空洞８０の第２カウンタボア（例えば、円筒形又は環状）内に収まり、環状リップ７４の外面１０２に沿った溝１００の中にガスケット９８（例えば、円筒形又は環状）を含む。ガスケット８８及び９８は、スプレイアプリケータピストン１４とスプレイアプリケータ本体２０との間のシールを形成して、ピストンエア１０４がピストンエア室９４へ進入して、スプレイアプリケータピストン１４を駆動できるようにする。より具体的には、ピストンエア１０４がピストンエア用付属品３４を通過してピストンエア室９４へ進入するとき、ピストンエア１０４は、第１リップ面１０６に作用する圧力を増大する。ピストンエア室９４における圧力が増大すると、圧力は、ピストンばね１０８の付勢力に勝って、スプレイアプリケータピストン１４が方向１１０へ移動できるようにする。スプレイアプリケータピストン１０６が方向１１０へ移動するとき、スプレイアプリケータピストン１０６は、ピストンカウンタボア７６が弁リップ１１４に当接するまで、距離１１２だけピストンばね１１０を圧縮する。スプレイアプリケータピストン１４が方向１１０へ更に移動すると、スプレイアプリケータピストン１４は、弁ばね６８の付勢力に勝って、弁７０を方向１１０へ駆動し、弁７０を弁座から離脱させる。
【００１３】
図示するように、弁７０は、スプレイアプリケータ本体２０の第１端部２２からスプレイアプリケータ本体２０の第２端部２６まで延びる。弁７０は、第１端部２２から第２端部２６まで延びるとき、弁７０は、スプレイアプリケータピストン１４の弁用開口部７８及び流体パッキング組立体１１９を通過する。第１端部２２において、弁７０は、スプレイアプリケータ組立体１０を通過する液体の流量を制御するためにスプレイ先端組立体１８内部に収まる。着座位置において、弁７０の先端１１６は、スプレイ先端組立体１８の液体送出先端組立体１１８を通過する液体の流れを遮断するのに対して、流体パッキング組立体１１９は、弁７０の周り及び空洞８０を通過する方向１１０への液体の流れを遮断する。非着座位置において、弁７０は、液体送出先端組立体１１８を通過する流体の流れを可能にする。上述のように、弁７０は、ピストンエア１０４がピストンエア室９４へ進入するとき、弁座から離脱して、スプレイアプリケータピストン７２を方向１１０へ駆動して、弁リップ１１４に当接させる。非着座位置の時、弁７０は、液体が液体用付属品３０を通過してスプレイアプリケータ本体２０へ進入できるようにする。液体が液体用付属品３０を通過すると、液体は液体送出先端組立体１１８へ進入して、先端組立体は、液体を液体用先端開口部１２０へ送り、開口部において液体はスプレイアプリケータ組立体１０から出て行く。液体が出るとき、スプレイ先端組立体１８は、液体を霧化して、スプレイ形成組立体１２２を通過する空気流によって成形する。
【００１４】
スプレイ形成組立体１２２は、液体送出先端組立体１１８に結合し、空気、回転及び静電噴霧機構などの多様なスプレイ形成機構を含むことができる。但し、図示するスプレイ形成組立体１２２は、止めナット１２６によってスプレイアプリケータ本体２０に取外し可能に固定される空気噴霧キャップ１２４を備える。空気噴霧キャップ１２４は、液体送出先端組立体１１８の周りに配置された多様な空気噴霧孔１２８を含むことができ、液体の噴霧を可能にする。空気噴霧キャップ１２２は、１つまたはそれ以上のスプレイ成形空気孔１３０を持つこともできる。空気孔は、噴霧液体を所望のスプレイパターン（例えば、フラットスプレイ）に成形するためにエアジェットを使用する。作動時に、スプレイ形成組立体１２２は、空気噴霧用付属品３２を通過する空気流を受け取る。上述のように、ピストンエア１０４がピストンエア室９４へ進入したとき、圧力は、スプレイアプリケータピストン７２を方向１１０へ駆動する。スプレイアプリケータピストン１４の方向１１０への移動は、弁７０だけでなくスプレイアプリケータピストン１４の端面８４も第１カウンタボア８２から離脱させる。端面８４が方向１１０へ移動すると、空気流室８６が開いて、空気１３２が空気流室から出て分配室（distribution chamber）１３４の中へ流れることができる。いくつかの実施形態において、スプレイアプリケータピストン１４は、スプレイアプリケータピストン１４を通過して弁７０の周りを流れる空気１３２を遮断するために、溝１３５（例えば、環状又は円筒形）内に収まるガスケット１３３（例えば、環状又は円筒形）を含むことができる。空気分配室１３４において、空気流１３２は、ファンパターン通路１３６を通過して成形空気孔１３０へ又は空気噴霧通路１２８へ流れる空気流へ割れる。いくつかの実施形態において、スプレイアプリケータ組立体１０は、成形空気孔１３０から出る空気１３２の空気圧及び流れを維持し調節するためにファンパターン調節弁１３８を含むことができる。吹付け作動の後、ピストンエア１０４は遮断され、ピストンばね１０８がスプレイアプリケータピストン１４を軸方向１４０へ駆動できるようにし、端面８２を第１カウンタボア８４に再着座させて、空気分配室１３４への空気流を遮断する。更に、スプレイアプリケータピストン１４が方向１４０へ移動するとき、スプレイアプリケータピストン１４は、弁ばね６８が液体送出先端組立体１１８の中に弁先端１１６を再着座できるようにする。
【００１５】
図３は、スプレイアプリケータ組立体１０の実施形態の、部分的に分解された切取り斜視図である。図示するように、スプレイアプリケータ取外し具１２は、ハウジングキャップ２４からピストン取外し具１２をネジ式に外して、スプレイアプリケータ取外し具１２をスプレイアプリケータピストン１４に結合できるようにすることによって、分解できる。ピストン取外し具１２を取り外した後、弁ばね６８及び弁７０は、スプレイアプリケータ組立体１０から引き出せる。ピストン−ハウジングキャップ２４も、スプレイアプリケータ本体２０からネジ式に外されて、ピストンばね１０８及びスプレイアプリケータピストン１４を露出する。又は、ピストン−ハウジングキャップ２４は、弁ばね６８及び弁７０を取り外す前にネジ式に外せる。この分解状態において、ピストン取外し具１２は、スプレイアプリケータピストン１４に結合でき、保守及び清掃のためにスプレイアプリケータピストン１４の取外しを可能にする。
【００１６】
図４は、スプレイアプリケータツール１２がスプレイアプリケータピストン１４に結合している、スプレイアプリケータ組立体１０の実施形態の切取り斜視図である。いくつかの実施形態において、スプレイアプリケータツール１２は、ピストン本体７２のピストンカウンタボア７６にネジ式に結合できる。例えば、ツールのネジ山６０（例えば、雄型結合体）はピストンボア７６の内面１６２の対応するピストンネジ山１６０に係合できる。スプレイアプリケータツール１２がネジ式にピストン本体に結合した後、スプレイアプリケータピストン１４は、スプレイアプリケータツール１２を方向１１０へ引っ張ることによって、スプレイアプリケータ本体２０から容易に取り外せる。取外し後、ガスケット８８、９８及び１３３を、交換／検査して、かつ／又はアプリケータピストン１４及びスプレイアプリケータ本体２０に対して保守（例えば清掃など）を実施できる。
【００１７】
図５は、スプレイアプリケータピストン１４に結合するスプレイアプリケータツール１２の実施形態の断面図である。いくつかの実施形態において、スプレイアプリケータツール１２は、スプレイアプリケータピストン１４の外面９２に結合できる。例えば、スプレイアプリケータピストン１４は、カウンタボア７６の周りの外面９２にネジ山１８０を含むことができる。スプレイアプリケータピストン１４表面のネジ山１８０は、空洞６６の中でスプレイアプリケータツール１２の内面１８４に沿ったネジ山１８２（例えば雌型結合体）にネジ式に係合できる。結合すると、スプレイアプリケータツール１２を方向１１０へ引っ張って、スプレイアプリケータピストン１４をスプレイアプリケータ本体２０から容易に取り外せる。スプレイアプリケータツール１２が内面１８４に沿ったネジ山１８２を含む実施形態において、ピストンハウジングキャップ２４は、より大きいキャップボア６４を含むことができ、スプレイアプリケータ組立体１０の作動時にネジ山６０がピストンハウジングキャップ２４に結合するようにできる。
【００１８】
図６は、突出部２００によってスプレイアプリケータピストン１４に結合するスプレイアプリケータツール１２の実施形態の切取り図である。図示するように、スプレイアプリケータツール１２は、外面２０２に１つ又はそれ以上の突出部（例えば、１つ、２つ、３つ、４つ、５つ又はそれ以上）を含むことができる。突出部２００は、スプレイアプリケータツール１２がピストンカウンタボア７６の中の円周溝２０４（例えば、環状溝）に結合できるようにする。いくつかの実施形態において、スプレイアプリケータツール１２は、突出部２００がピストンカウンタボア７６の内面１６２の軸方向溝２１０と整列するまで右回り２０６又は左回り２０８に回される。その後、スプレイアプリケータツール１２は、突出部２００が円周溝２０４へ進入するまで軸方向に移動される。突出部２００が円周溝２０４へ進入した後、スプレイアプリケータツール１２をいずれかの方向２０６又は２０８へ回して、スプレイアプリケータツール１２をスプレイアプリケータピストン１４に結合する。結合したら、スプレイアプリケータピストン１４は、スプレイアプリケータツール１２と一緒にスプレイアプリケータ本体２０から引き出せる。いくつかの実施形態において、突出部２００を内面１８４に配置して、ピンをスプレイアップリケータピストン１４の外面１９２の溝２１０に結合できる。別の実施形態において、突出部２００は、スプレイアプリケータツール１２がピストンカウンタボア７６へ進入するとき又はスプレイアプリケータツール１２がスプレイアップリケータピストン１４の外面１９２上に延びるとき圧縮してばね式ピン（例えばスナップ嵌め結合体）であり、軸方向溝２１０無しに取付けを可能にする。突出部２００が溝２０４及び２１０に沿って活動するとき、突出部２００は飛び出して、スプレイアプリケータツール１２をスプレイアプリケータピストン１４に結合する。さらに別の実施形態において、スプレイアプリケータピストン１４は、ピストンカウンタボアの内面１６２に沿って突出部２００を含むことができ、突出部は、スプレイアプリケータツール１２の空洞６６の対応する溝に結合する。このようにして、スプレイアプリケータツール１２は、スプレイアプリケータツール１２表面の溝をスプレイアプリケータピストン１４表面の突出部２００に結合でき、スプレイアプリケータピストン１４の取外しを可能にする。
【００１９】
図７は、磁石２２０（例えば、磁気材料で作られた永久磁石）を持つスプレイアプリケータツールの実施形態の断面図である。いくつかの実施形態において、スプレイアプリケータツール１２は、スプレイアプリケータツール１２を磁気的にスプレイアプリケータピストン１４に結合できるようにするために、磁石２２０を含むことができる。図示するように、スプレイアプリケータツール１２は、第１区分２２２（例えば、環状体）と第２区分２２４（例えば、環状体）とを含むことができる。第１区分２２２は、スプレイアプリケータツール１２がピストンハウジングキャップ２４に結合して弁７０及び弁ばね６８を受け入れられるようにする。第２区分２２４は、使用者が使用時に弁７０に対する力を調節しかつ使用後にスプレイアプリケータピストン１４を引き戻せるようにする使用者用調節ノブとなる。例えば、第２区分２２４は、スプレイアプリケータピストン１４を磁気的に引き付け／結合する磁石２２０を含んで、スプレイアプリケータツール１２がスプレイアプリケータピストン１４をスプレイアプリケータ本体２０から取り外せるようにする。更に、第２区分２２４は、スプレイアプリケータピストン１４を取り外す際に使用者がスプレイアプリケータツール１２をより良く握れるようにするグリップ特徴部２２６を含むことができる。いくつかの実施形態において、グリップ特徴部２２６は、スプレイアプリケータツール１２の円周全体の周りに円周方向に延びるリップ２２８を含むことができる。別の実施形態において、リップ２２８は、スプレイアプリケータツール１２の周りに部分的にのみ延びることができる。さらに別の実施形態において、グリップ特徴部２２６は、スプレイアプリケータピストン１４を取り外す際に使用者がスプレイアプリケータツール１２をより良く握れるようにするために、円周の周りに配置された複数の離間した突出部又は歯２２８を含むことができる。
【００２０】
図８は、グリップ特徴部２２６を持つスプレイアプリケータツール１２の実施形態の側面図である。図８のグリップ特徴部２２６は、リップではなくグリップ凹部２４０である。いくつかの実施形態において、グリップ凹部２４０は、スプレイアプリケータツール１２の円周全体の周りに円周方向に延びることができる。別の実施形態において、スプレイアプリケータピストン１４をスプレイアプリケータ組立体１４から引き出す時に使用者が握りやすいように、スプレイアプリケータツール１２に沿った異なる軸方向及び／又は円周方向の位置に複数のグリップ凹部２４０を配置できる。
【００２１】
開示する実施形態の技術的効果は、多目的スプレイアプリケータツール１２を持つスプレイアプリケータ組立体１０を含む。上述のように、スプレイアプリケータツール１２は、吹付け作動時に吹付けパラメータを調節できるようにし、その後、スプレイアプリケータ組立体１０の分解を容易にする。スプレイアプリケータツール１２は、スプレイアプリケータツール１２をスプレイアプリケータ本体２０内のスプレイアプリケータピストン１４に結合できるようにする結合特徴部を含む。結合すると、スプレイアプリケータツール１２は、使用者が保守（例えば、清掃、ガスケットの交換など）のためにスプレイアプリケータスピトン１４をスプレイアプリケータ組立体から引き出せるようにする。
【００２２】
本発明の特定の特徴部についてのみ図示し本明細書において説明したが、当業者は多くの修正及び変更を思い浮かべることができるだろう。従って、特許請求の範囲は、これらの修正及び変更の全てを本発明の真の主旨に属するものとして包括する、と理解すべきである。
【図１】
2017520398.tif 000003
【図２】
2017520398.tif 000004
【図３】
2017520398.tif 000005
【図４】
2017520398.tif 000006
【図５】
2017520398.tif 000007
【図６】
2017520398.tif 000008
【図７】
2017520398.tif 000009
【図８】
2017520398.tif 000010
【国際調査報告】
2017520398.tif 000011
2017520398.tif 000012
2017520398.tif 000013